(57)【特許請求の範囲】
【請求項１】
血圧値を測定する血圧測定手段と、血圧値を表示する表示部と、使用者毎に選択可能な複数の使用者識別キーと、前記使用者識別キー毎に対応して設けられた複数の発光手段とを備えた電子血圧計において、
測定された血圧値は、前記使用者識別キーの操作により、前記操作された使用者識別キーに対応するメモリに記憶され、
前記操作された使用者識別キーに対応する発光手段は、前記使用者の血圧値の測定中及び／又は表示中に発光する電子血圧計であって、
前記血圧測定手段は、前記使用者識別キーの操作に連動して、血圧値の測定を開始するものであることを特徴とする電子血圧計。
【請求項２】
前記表示部は、前記使用者識別キーの操作に連動して、前記操作された使用者識別キーに対応するメモリに記憶された前回メモリ記憶値を表示することを特徴とする請求項１に記載の電子血圧計。
【請求項３】
前記電子血圧計は、本体内部の電気電子回路に作動電力を供給する電源部を有し、
前記電源部は、前記使用者識別キーの操作に連動して、前記本体内部に電源を投入することを特徴とする請求項１または２に記載の電子血圧計。
【請求項４】
前記発光手段は、対応する前記使用者識別キー毎に異なる色で発光することを特徴とする請求項１から請求項３のいずれかに記載の電子血圧計。
【請求項５】
血圧値を測定する血圧測定手段と、血圧値を表示する表示部と、イベント毎に選択可能な複数のイベント識別キーと、前記イベント識別キー毎に対応して設けられた複数の発光手段とを備えた電子血圧計において、
測定された血圧値は、前記イベント識別キーの操作により、前記操作されたイベント識別キーに対応するメモリに記憶され、
前記操作されたイベント識別キーに対応する発光手段は、血圧値の測定中及び／又は表示中に発光する電子血圧計であって、
前記血圧測定手段は、前記イベント識別キーの操作に連動して、血圧値の測定を開始するものであることを特徴とする電子血圧計。
【請求項６】
前記表示部は、前記イベント識別キーの操作に連動して、前記操作されたイベント識別キーに対応するメモリに記憶された前回メモリ記憶値を表示することを特徴とする請求項５に記載の電子血圧計。
【請求項７】
前記電子血圧計は、本体内部の電気電子回路に作動電力を供給する電源部を有し、
前記電源部は、前記イベント識別キーの操作に連動して、前記本体内部に電源を投入することを特徴とする請求項５または６に記載の電子血圧計。
【請求項８】
前記発光手段は、対応する前記イベント識別キー毎に異なる色で発光することを特徴とする請求項５から請求項７のいずれかに記載の電子血圧計。
【請求項９】
前記メモリは、前記血圧値の他、血圧値測定時間等の付加情報を前記血圧値に紐付けて記憶することを特徴とする請求項５から請求項８のいずれかに記載の電子血圧計。
【請求項１０】
前記電子血圧計は、計時手段を有しており、前記計時手段に於いて計時された現在時刻に基づいて、前記現在時刻に対応するイベント識別キーに対応する発光手段が発光することを特徴とする請求項５から請求項９のいずれかに記載の電子血圧計。
【発明の詳細な説明】
【技術分野】
【０００１】
本発明は、自動的に血圧値の測定、表示を行う電子血圧計に関し、特に、複数の使用者が共用する、もしくは複数のイベント時に於いて共用される電子血圧計に関するものである。
【背景技術】
【０００２】
近年、水銀式血圧計やアネロイド型血圧計に代わって、電子血圧計が普及してきた。電子血圧計は、使用者の用途に合わせて、小型・単機能型や、メモリ、プリンタ付き等の多機能型等、様々なタイプが市場に出回っている。【０００３】
これに伴い家庭内では、健康管理の一貫として、電子血圧計を用いた血圧値測定習慣が身に付けられるようになってきた。【０００４】
そこで、特許文献１に開示されている血圧計のように、複数の使用者が１台の血圧計を共用するという事情に鑑みて、切替スイッチを用いて使用者毎に測定値を確実に記憶することが出来るものも開発されている。【０００５】
しかし、このような血圧計には、以下に説明する技術的な課題があった。【０００６】
【特許文献１】特開２００２−２７２６８６号公報
【発明の開示】
【発明が解決しようとする課題】
【０００７】
特許文献１に開示されている血圧計は、表示部に、使用者の識別記号を測定値と共に表示する構成を採用しているが、使用者自身が自己の識別記号が何であるかを把握していなければそもそも識別記号を表示する意味はないし、表示スペースは限られているため、年配者にとっては表示される識別記号が小さくて見づらいという問題があった。【０００８】
又、特許文献１に開示されている血圧計では、切替スイッチの移動により使用者の切り替えを行っているが、この切替作業は使用者にとって面倒であり、使用者が切り替えることを忘れたまま血圧値測定を開始してしまったり、他の使用者用のメモリに測定値が記憶されてしまうということもあった。【０００９】
本発明は、このような従来の問題点に鑑みてなされたものであって、その目的とするところは、使用者が自己の識別キーを操作して測定開始したことや、表示部に自己の測定値が表示されていることを容易に視認出来、又、切替手段を用いることなく使用者やイベント毎に測定値を記憶出来る電子血圧計を提供することにある。【００１０】
上記目的を達成するため、本発明は、血圧値を測定する血圧測定手段と、血圧値を表示する表示部と、使用者毎に選択可能な複数の使用者識別キーと、前記使用者識別キー毎に対応して設けられた複数の発光手段とを備えた電子血圧計において、測定された血圧値は、前記使用者識別キーの操作により、前記操作された使用者識別キーに対応するメモリに記憶され、前記操作された使用者識別キーに対応する発光手段は、前記使用者の血圧値の測定中及び／又は表示中に発光する電子血圧計であって、前記血圧測定手段は、前記使用者識別キーの操作に連動して、血圧値の測定を開始するようにした。
【００１１】
このように構成した電子血圧計によれば、操作された使用者識別キーに対応する発光手段が、血圧値の測定中や表示中に発光するので、使用者は、自己の識別キーを操作して測定が行われていること、自己の血圧値が表示されていること、測定経過等を一目瞭然に視認出来る。【００１３】
上記構成によれば、使用者識別キーの操作に連動して、血圧値の測定が開始されるので、切替スイッチの切替作業のように、切り替え忘れるということがなく、又、確実に使用者毎に用意されたメモリに測定値が記憶される。
【００１４】
又、前記表示部は、前記使用者識別キーの操作に連動して、前記操作された使用者識別キーに対応するメモリに記憶された前回メモリ記憶値を表示することが出来る。【００１５】
この構成によれば、使用者識別キーの操作に連動して、他人の前回測定値ではなく、使用者自身の前回測定値が確実に表示されるので、この表示値を健康管理等に利用することが可能となる。【００１６】
又、前記電子血圧計は、本体内部の電気電子回路に作動電力を供給する電源部を有し、前記電源部は、前記使用者識別キーの操作に連動して、前記本体内部に電源を投入することが出来る。【００１７】
この構成によれば、電源投入キーの操作の必要なく、直ちに血圧値の測定を開始したり、測定値を表示させることが出来る。【００１８】
又、前記発光手段は、対応する前記使用者識別キー毎に異なる色で発光することが出来る。【００１９】
この構成によれば、使用者は、使用者識別キーの設置場所や記号のみならず、色によっても、自己のキーを操作したことや、自己の血圧値表示がされていることを視認することが出来る。【００２０】
また、本発明は、血圧値を測定する血圧測定手段と、血圧値を表示する表示部と、イベント毎に選択可能な複数のイベント識別キーと、前記イベント識別キー毎に対応して設けられた複数の発光手段とを備えた電子血圧計において、測定された血圧値は、前記イベント識別キーの操作により、前記操作されたイベント識別キーに対応するメモリに記憶され、前記操作されたイベント識別キーに対応する発光手段は、血圧値の測定中及び／又は表示中に発光する電子血圧計であって、
前記血圧測定手段は、前記イベント識別キーの操作に連動して、血圧値の測定を開始するようにした。
【００２１】
このように構成した電子血圧計によれば、操作されたイベント識別キーに対応する発光手段が、血圧値の測定中や表示中に発光するので、使用者は、任意のイベントを選択して測定が行われていること、血圧値が表示されていること、測定経過等を一目瞭然に視認出来る。【００２３】
上記構成によれば、イベント識別キーの操作に連動して、血圧値の測定が開始されるので、切替スイッチの切替作業のように、切り替え忘れるということがなく、又、イベント毎に用意されたメモリに確実に測定値が記憶される。
【００２４】
又、前記表示部は、前記イベント識別キーの操作に連動して、前記操作されたイベント識別キーに対応するメモリに記憶された前回メモリ記憶値を表示することが出来る。【００２５】
この構成によれば、イベント識別キーの操作に連動して、別の種類のイベント時に於ける前回測定値ではなく、同じ種類のイベント時に於ける前回測定値が確実に表示されるので、この表示値を健康管理等に利用することが可能となる。【００２６】
又、前記電子血圧計は、本体内部の電気電子回路に作動電力を供給する電源部を有し、前記電源部は、前記イベント識別キーの操作に連動して、前記本体内部に電源を投入することが出来る。【００２７】
この構成によれば、電源投入キーの操作の必要なく、直ちに血圧値の測定を開始したり、測定値を表示させることが出来る。【００２８】
又、前記発光手段は、対応する前記イベント識別キー毎に異なる色で発光することが出来る。【００２９】
この構成によれば、使用者は、イベント識別キーの設置場所や記号のみならず、色によっても、イベントに対応したキーを操作したことや、当該イベント時に於ける血圧値表示がされていることを視認することが出来る。【００３０】
又、前記メモリは、前記血圧値の他、血圧値測定時間等の付加情報を前記血圧値に紐付けて記憶してもよい。【００３１】
このように、血圧値に加えて付加情報が記憶されることによって、使用者の健康状態を観察、診察、分析する際の一助とすることが出来る。【００３２】
又、前記電子血圧計は、計時手段を有しており、前記計時手段に於いて計時された現在時刻に基づいて、前記現在時刻に対応するイベント識別キーに対応する発光手段が発光してもよい。【００３３】
この構成によれば、使用者は、今、どのイベント識別キーを操作して血圧値を測定すればよいのかを一目瞭然に把握することが出来る。
【発明の効果】
【００３４】
本発明にかかる電子血圧計によれば、操作された使用者識別キーもしくはイベント識別キーに対応する発光手段が、血圧値の測定中や表示中に点灯、点滅するので、使用者は、自己の識別キーを操作して測定が行われていること、自己の血圧値が表示されていること、測定経過、任意のイベントを選択して測定、表示が行われていること等を一目瞭然に視認出来る。【００３５】
又、識別キーの操作に連動して、血圧値の測定が開始されるので、切替スイッチの切替作業のように、切り替え忘れるということがなく、又、確実に使用者もしくはイベント毎に用意されたメモリに測定値が記憶される。【００３６】
又、識別キーの操作に連動して、他人の前回測定値や別の種類のイベント時に於ける前回測定値ではなく、使用者自身の前回測定値や同じ種類のイベント時に於ける前回測定値が確実に表示されるので、この表示値を健康管理等に利用することが可能となる。
【発明を実施する為の最良の形態】
【００３７】
以下、本発明の好適な実施の形態について、添付図面に基づいて詳細に説明する。図１は、本発明にかかる電子血圧計１０の一実施例を示す外観図であり、図２は、本発明にかかる電子血圧計１０の一実施例を示す構成図である。
【００３８】
これらの図に示した電子血圧計１０は、カフ１２と、血圧計本体１４とを備えている。カフ１２は生体動脈の圧迫が可能な部位に装着され、その内部圧力を検出する圧力センサ１２ａが設けられている。
【００３９】
尚、本実施例の電子血圧計１０は、カフ１２を上腕に装着するタイプの電子血圧計であるが、本発明に於いてカフ１２の装着場所は問わないため、カフ１２が手首や手指に装着されるタイプによって本発明にかかる電子血圧計１０が実現されてもよい。
【００４０】
血圧計本体１４内には、加圧ポンプ１６と、急速排気弁１８ａと、微速排気弁１８ｂとが設けられており、これらはカフ１２内とそれぞれ連通接続されている。
【００４１】
加圧ポンプ１６は、カフ１２内に加圧空気を供給する加圧手段を構成している。急速排気弁１８ａは、血圧値の測定が終了した際等に、カフ１２内に充填されている加圧空気を急速に排出する。
【００４２】
微速排気弁１８ｂは、カフ１２内に加圧空気を供給して、所定圧力状態にした後に、加圧ポンプ１６の加圧動作を停止した状態で、カフ１２内の加圧圧力を徐々に下げる減圧手段を構成している。
【００４３】
尚、本実施例の電子血圧計１０は、カフ１２の減圧過程で血圧値を算出する方式の電子血圧計であるが、カフ１２の加圧過程で血圧値を算出する方式の電子血圧計であってもよい。この場合には、微速排気弁１８ｂは不要となる。
【００４４】
これらの加圧ポンプ１６、急速排気弁１８ａ、微速排気弁１８ｂの作動停止等を含む上述したような制御は、カフ１２内に設置されている圧力センサ１２ａの検出値及び、制御部２０に接続されたメモリ２４が記憶している加圧ポンプ１６への加圧量に基づいて、血圧計本体１４内に設けられている制御部２０から制御信号が出力されることにより行われる。
【００４５】
尚、圧力センサ１２ａの検出値は、Ａ／Ｄ変換器２２を介して、制御部２０に入力される。Ａ／Ｄ変換器２２は、制御部２０に内蔵されている場合もあり、その場合、圧力センサ１２ａの検出値は直接、制御部２０に入力される。
【００４６】
血圧測定手段２６は、生体動脈の脈波信号、すなわち、圧力センサ１２ａの検出値に基づいて、血圧値を算出する手段である。本実施例では、カフ１２の減圧過程で制御部２０に入力された圧力センサ１２ａの検出値が、メモリ２４に記憶され、血圧値の測定に利用される。
【００４７】
オシロメトリック方式とよばれる血圧測定方法では、カフ１２の減圧又は加圧過程で、脈波信号の振幅が急激に増大するポイントに於けるカフ１２内の圧力値を最高血圧値とし、脈波信号の振幅が急激に減少するポイントに於けるカフ１２内の圧力値を最低血圧値とし、脈波信号の振幅が最も大きくなるポイントに於けるカフ１２内の圧力値を平均血圧値としている。
【００４８】
そのため、血圧測定手段２６は、圧力センサ１２ａの検出値を微分して、増減の程度を規定値と比較する等によって最高血圧値、最低血圧値を算出し、又、各振幅相互の大小比較によって平均血圧値を算出し、これらの算出のために必要な演算部を備えている。
【００４９】
制御部２０は、血圧測定手段２６に測定開始を命令する他、測定された血圧値を、後述する表示部２８に表示したり、履歴表示や血圧値の時系列変位の解析等を行うため、メモリ２４に記憶する。
【００５０】
尚、血圧値の判定方法や判定基準は各社様々であり、又、本発明にかかる電子血圧計１０は、必ずしもオシロメトリック方式で血圧値を測定する必要はない。又、血圧測定手段２６を構成する演算部を電子部品を用いて回路的に実現するか、ＣＰＵのプログラムにより実現するかは用途などに応じても様々であり、血圧測定手段２６に含まれる構成手段が、制御部２０に含まれていてもよい。
【００５１】
更に、血圧計本体１４の表面側には、血圧測定手段２６で測定された血圧値や、メモリ２４に記憶された血圧値等を表示する表示部２８が設けられている。尚、表示部２８には、最高血圧値、最低血圧値の他、平均血圧値や、脈拍数等の情報を表示することが出来る。
【００５２】
又、血圧計本体１４内には、制御部２０、血圧測定手段２６、加圧ポンプ１６、急速排気弁１８ａ、微速排気弁１８ｂ、表示部２８等の血圧計本体１４内の電気電子回路に作動電力を供給する電源部３０が内蔵されている。電源部３０は、電子血圧計１０の持ち運びの利便性を考慮して、一般的に電池等の直流電源で構成されているが、交流電源によって構成されてもよいし、血圧計本体１４内の電気電子回路が直流電源で作動する場合には、交流−直流変換器を内蔵していてもよい。
【００５３】
又更に、制御部２０には、電源部３０を起動するための電源投入キー３２、使用者毎に選択可能な複数の使用者識別キー３４、これらのキー毎に対応して設けられた複数の発光手段３６が接続され、これらは、血圧計本体１４の表面に設けられている。
【００５４】
電源投入キー３２は、一般に押しボタンで構成されるが、ロック式かノンロック式かは問わず、電源の入切を区別するスライド式スイッチで構成されていてもよい。又、電源投入キー３２の設置場所は、図１に示したような血圧計本体１４の上部表面側ではなく、血圧計本体１４の側面側でもよい。
【００５５】
使用者識別キー３４は、一般に図１に示したような円形状のノンロック式押しボタンスイッチで構成されているが、キーが操作されたことを示す信号を出力可能なその他のスイッチであってもよく、形状やロックの有無は問わない。
【００５６】
発光手段３６は、使用者識別キー３４の直下又は周囲に設けられ、ＬＥＤ（発光ダイオード）等で構成され、制御部２０からの制御信号又はキーの操作検出信号に基づいて発光し、キーやその周囲に光を照射する。発光手段３６の発光色は、使用者識別キー３４毎に異なる色であってもよい。発光手段３６がキーの直下に設けられている場合には、キーそのものに光を照射するため、キーは透明又は半透明の樹脂で形成されているのが一般的である。又、キーの周囲に光を照射する場合には、例えば図１に示したように、円形状のキーの外周を覆うように、透明又は半透明のリング状の樹脂が嵌め込まれており、その樹脂部分から光が漏れるようになっている。
【００５７】
尚、キーの周囲とは、例えば、キーの設置表面の直上、直下等、発光手段３６がそのキーに対応していることが一目瞭然に分かる範囲内の任意の領域を指し、キーの全周囲を囲うことのみを意味するものではない。又、発光手段３６の形状も、上記のリング状の他、丸形、角形等、ＬＥＤそのものの形状が現れていてもよい。
【００５８】
ここで、本発明にかかる電子血圧計１０の特徴は、血圧測定手段２６によって測定された血圧値が、使用者識別キー３４の操作により、操作された使用者識別キー３４に対応するメモリ２４内のメモリ領域に記憶されることである。更に、操作された使用者識別キー３４に対応する発光手段３６が、血圧測定手段２６による血圧値測定中や、表示部２８における血圧値表示中に発光することである。
【００５９】
メモリ２４内には、使用者識別キー３４毎に確保されたメモリ領域が使用者識別キー３４の個数分設けられている。制御部２０は、使用者が予め決定の上選択した任意の使用者識別キー３４の操作を検出し、測定された血圧値を、操作された使用者識別キー３４に対応するメモリ領域に記憶する。つまり、血圧値は使用者毎にメモリ２４に記憶される。
【００６０】
そして、制御部２０が、血圧値測定開始から終了までの間、及び／又は、血圧値の表示中に、操作された使用者識別キー３４に対応する発光手段３６の発光制御を行うことで、使用者は、血圧値の測定中や表示中にも、自己の使用者識別キー３４を操作して血圧値の測定や表示が行われていることを確実に視認することが出来る。
【００６１】
発光手段３６は、使用者識別キー３４の直下又は周囲に設けられており、使用者識別キー３４そのものや周囲が点灯又は点滅するので、表示部２８内に使用者識別記号や、測定中の印を表示するよりも見やすく、お年寄りや子供でも視認が容易である。
【００６２】
血圧値測定中のみならず、血圧値測定終了後、測定された血圧値を表示部２８に表示する際にも発光手段３６が発光する場合には、例えば、測定中は点滅、表示中は点灯、というように、発光の制御方法を変化させてもよい。これにより、使用者は、自己の使用者識別キー３４が操作されたことのみならず、測定経過（測定開始、測定終了、表示）をも視認することが出来る。
【００６３】
更に、使用者が予め決定した使用者識別キー３４を忘れないよう、各使用者識別キー３４の付近に、シールを貼ったり、直接文字を書き込むようなスペースが設けられいてもよい。これにより、使用者は使用者識別キー３４の操作で戸惑うことがない。
【００６４】
血圧測定手段２６は、いずれかの使用者識別キー３４の操作に連動して、血圧値の測定を開始してもよい。仮に、複数の使用者の識別が、使用者識別キー３４の操作によるものではなく、使用者を切り替えるための切替スイッチの操作によるものであるとすれば、使用者はスイッチを切り替えることを忘れて、血圧値の測定を開始してしまうことがある。
【００６５】
しかし、上記構成によれば、必ず使用者識別キー３４が操作されないと、血圧値の測定が開始されないので、切替スイッチのように操作をし忘れたまま測定が開始されるということがなく、確実に使用者の血圧値が自己のメモリ領域に記憶される。
【００６６】
又、測定開始キー等の操作が不要となり、使用者は、電源投入キー３２を操作した後、いずれかの使用者識別キー３４を操作すれば、制御部２０は直ちに血圧値測定を開始することが出来る。
【００６７】
尚、電源投入キー３２の操作後、全ての使用者識別キー３４に対応する全ての発光手段３６は、制御部２０からの制御信号に基づき、発光してもよい。これにより、血圧計本体１４の電源投入後、使用者に対して、いずれかの使用者識別キー３４を操作するよう促すことが出来る。
【００６８】
使用者識別キー３４と測定開始キー（図示せず）は、それぞれ独立に設けられていてもよい。その場合には、使用者識別キー３４の操作忘れを防止するため、制御部２０は、測定開始キーと、いずれかの使用者識別キー３４の両方の操作を検出しない限り、血圧値の測定を開始出来ないように制御する必要がある。測定開始キーは、少なくとも１個設けられていればよい。
【００６９】
又、表示部２８が、使用者識別キー３４の操作に連動して、操作された使用者識別キー３４に対応するメモリ２４内のメモリ領域に記憶された前回メモリ記憶値、すなわち、前回血圧値測定時に使用者のメモリ領域に記憶された前回測定値を表示してもよい。
【００７０】
操作された使用者識別キー３４に対応するメモリ領域には確実に、操作した使用者の前回測定値が記憶されているから、他人の血圧値が表示されるということがなく、健康管理の参考にすることが出来る。又、前回測定値を表示させる際に、切替スイッチ等による切り替え作業を行う必要がなく、使用者識別キー３４の操作により自己の前回測定値が直ちにメモリ２４から呼び出され表示部２８に表示されるので、表示キー等を設ける必要がない。
【００７１】
又、表示部２８が前回測定値を表示させる時にも、上述したように、操作された使用者識別キー３４に対応する発光手段３６は発光するので、使用者は、自己の使用者識別キー３４を操作して、自己の前回測定値を表示させたことを容易に視認することが出来る。
【００７２】
尚、使用者識別キー３４とは独立して、前回測定値表示キーが設けられ、前回測定値表示キーと、いずれかの使用者識別キー３４の両方の操作（操作の順番は問わない）によって、操作した使用者の前回測定値が表示部２８に表示されてもよい。この場合も、上述した測定開始キー同様、前回測定値表示キーは少なくとも１個設けられていればよい。
【００７３】
使用者識別キー３４の操作に連動して、血圧値の測定開始と、前回測定値の表示の両方が行われるような場合であって、かつ、測定開始キーも表示キーも設けられていないような場合には、各機能を区別するため、例えば、使用者識別キー３４が所定時間以上の長押し操作（例えば、２秒程度）された場合には前回測定値の表示を行い、短押し操作された場合には血圧値の測定を開始するというように、操作手順や操作時間を変えればよい。
【００７４】
又、電源部３０が、使用者識別キー３４の操作に連動して、血圧計本体１４内部に電源を投入するものであってもよい。これにより、電源投入キー３２は不要となり、いずれかの使用者識別キー３４を操作しただけで、血圧計本体１４への電源投入から、血圧値の測定、メモリ記憶、表示までが順に行われることになり、使用者側の操作が簡略化される。
【００７５】
使用者識別キー３４が測定開始キー及び前回測定値表示キーとの兼用となっている場合には、キーの短押しの場合は電源投入とともに、血圧値の測定を開始し、キーの長押しの場合は電源投入とともに、前回測定値を表示する、というようにキーの操作手順、操作時間を変えるのがよい。
【実施例１】
【００７６】
以下、第１実施例の電子血圧計１０の全体動作について図３のフロー図を参照して説明する。尚、このフロー図の前提として、使用者は血圧値を測定するため、上腕にカフ１２を装着していることとする。又、使用者は、予め、図１に示した電子血圧計１０に含まれる使用者識別キーＡ３４ａと使用者識別キーＢ３４ｂのうち、使用者識別キーＡ３４ａを自己の識別キーとして決定しているものとする。尚、本実施例では、図１に示したように、使用者識別キー３４が２個設けられているが、使用者識別キー３４の個数は本実施例に於ける個数に限定されるものではない。【００７７】
血圧計本体１４は、電源投入キー３２の押下を検出して電源部３０に伝達する（Ｓ３１０）。電源部３０は、血圧計本体１４内部の制御部２０その他全ての電気電子回路の作動に必要な電力を生成し、各部に供給する（Ｓ３２０）。この際、電源投入キー３２に対応する発光手段Ｐ３６ｃにも電力を供給することで、発光手段Ｐ３６ｃは発光し、使用者は血圧計本体１４に電源が投入されたことを視認することが出来る。【００７８】
その後直ちに、制御部２０は、使用者識別キー３４に対応する発光手段３６の全てを点灯発光又は点滅発光させるよう制御を行う（Ｓ３３０）。これは、使用者に、いずれかの使用者識別キー３４の押下を促すためである。【００７９】
ここで例えば、使用者識別キーＡ３４ａに対応する発光手段Ａ’３６ａの色と、使用者識別キーＢ３４ｂに対応する発光手段Ｂ’３６ｂの色とが、緑と赤のように異なる色であれば、使用者は、自己の使用者識別キー３４を位置や記号によってのみならず、色によって記憶しておくことが可能となり、どの使用者識別キー３４を操作するべきかを忘れることがない。又、使用者識別キー３４の周囲にシールや文字を書き込むスペースが設けられていれば、使用者は、目印となるシールや文字を見て、どの使用者識別キー３４を押下すべきかが直ちに分かる。【００８０】
使用者が使用者識別キーＡ３４ａを押下すると、押下信号は制御部２０に入力され、制御部２０は使用者識別キーＡ３４ａの押下を検出する（Ｓ３４０）。いずれかの使用者識別キー３４の押下が検出されるまで、制御部２０は待ち状態となる。【００８１】
本実施例では、使用者識別キー３４は、血圧値の測定開始キーとの兼用となっており、制御部２０は、使用者識別キーＡ３４ａの押下検出に連動して、血圧値測定開始を命令する（Ｓ３５０）。制御部２０は、加圧ポンプ１６、微速排気弁１８ｂ、急速排気弁１８ａの制御を行い、カフ１２の加圧、排気が行われる。更に制御部２０は、カフ１２の減圧過程で、圧力センサ１２ａの検出値をＡＤ変換器を介してメモリ２４に記憶し、記憶された結果を血圧測定手段２６に引き渡し、血圧値を演算、算出させる。【００８２】
カフ１２を加圧して血圧値の測定を開始してから、カフ１２内の空気を排出して、血圧値の算出を終了するまでの間、制御部２０は、先に押下された使用者識別キーＡ３４ａに対応する発光手段Ａ’３６ａに発光命令を行い、使用者識別キーＡ３４ａを点滅させ、使用者識別キーＢ３４ｂを消灯する（Ｓ３６０）。これにより、使用者は使用者識別キーＡ３４ａを操作したことを、血圧値測定中に視認することが出来、又、現在、血圧値測定中であることを視認出来る。【００８３】
血圧測定手段２６が血圧値の算出を終了すると（Ｓ３７０）、制御部２０はカフ１２内の空気の排出を行い、測定結果である血圧値を表示部２８に表示するとともに、使用者識別キーＡ３４ａに対応するメモリ２４内のメモリ領域に測定値を記憶する（Ｓ３８０）。【００８４】
更に、表示部２８に測定値を表示する際、制御部２０は、使用者識別キーＡ３４ａに対応する発光手段Ａ’３６ａに発光を命令し、使用者識別キーＡ３４ａを点灯させる（Ｓ３９０）。使用者は、使用者識別キーＡ３４ａが点滅から点灯に変わったことから、血圧値測定終了を確認し、又、使用者識別キーＡ３４ａに対応するメモリ領域に測定値が記憶されたことを視認することが出来る。【００８５】
その後、所定時間（例えば１分）経過後、いずれのキーの操作もなければ、血圧計本体１４は自動的に電源を切断する。電源の切断は、電源投入キー３２の押下によって手動で行われてもよい。又、所定時間、測定値が表示部２８に表示された後は、制御部２０は、再度、Ｓ３３０のフローに戻って、使用者識別キー３４の押下検出待ち状態となってもよい。【００８６】
以上により、使用者は、少なくともいずれかの使用者識別キー３４を操作してからでないと、血圧値測定を開始することが出来ないので、使用者切替スイッチの切り替え作業のように操作を忘れるということがなく、確実に自己のメモリ領域に測定値を記憶させることが出来る。しかも、本実施例では、使用者識別キー３４が測定開始キーとの兼用になっているため、使用者識別キー３４の操作後直ちに血圧値測定を開始することが出来る。【００８７】
又、血圧値測定中は、操作した使用者識別キー３４が点滅し、血圧値測定終了後は、操作した使用者識別キー３４が点灯するので、使用者は自らどのキーを操作したのかを容易に視認することが出来、又、血圧値の測定経過を把握することが出来る。
【実施例２】
【００８８】
次に、本発明にかかる電子血圧計１０の第２実施例について、図４のフロー図を参照して説明する。本実施例に於ける電子血圧計１０の構成については、第１実施例で説明したのと同様であるから、その説明を省略する。尚、本実施例に於いても、実施例１同様、使用者は使用者識別キーＡ３４ａを自己の使用者識別キー３４と決定していることとする。【００８９】
電源投入キー３２の押下検出（Ｓ４１０）から、全ての発光手段３６に発光命令を出す（Ｓ４３０）までの流れは、実施例１のＳ３１０からＳ３３０までの流れと同様であるので、説明を省略する。【００９０】
制御部２０は、いずれかの使用者識別キー３４の押下検出を待つ（Ｓ４４０）。本実施例では、制御部２０は、使用者により使用者識別キーＡ３４ａが押下されたのを検出した後、タイマーによって押下時間を計数し、所定時間以上押下された場合には（Ｓ４５０）、実施例１のように血圧値測定を開始するのではなく、メモリ２４に記憶されている前回測定値の表示を行うこととする。尚、タイマーに相当する手段がロジックＩＣ等の電子部品によって実現されるか、コンデンサ等の充電部品を含む電気部品の組合わせによって実現されるかは問わない。【００９１】
具体的に制御部２０は、所定時間以上押下された使用者識別キーＡ３４ａを認識して、その使用者識別キーＡ３４ａに対応するメモリ２４内のメモリ領域に記憶されている測定値又は、複数の測定値が記憶されている場合には最後に記憶された測定値を呼び出し、使用者の前回測定値として表示部２８に表示する（Ｓ４６０）。【００９２】
前回測定値を表示部２８に表示する際には、制御部２０は、押下された使用者識別キーＡ３４ａに対応する発光手段Ａ’３６ａに発光を命令し、使用者識別キーＡ３４ａを点滅又は点灯させ、他の使用者識別キーＢ３４ｂを消灯させる（Ｓ４７０）。これにより、使用者は使用者識別キーＡ３４ａを操作して、自己の前回測定値を表示させたことを視認することが出来る。【００９３】
尚、使用者識別キーＡ３４ａの押下は検出されたものの、所定時間以上の押下でなかった場合には、制御部２０は、血圧値測定を行うものと判断して、血圧値の測定を開始する（Ｓ４８０）。【００９４】
以上により、使用者は、自己の使用者識別キー３４の操作に連動して、他人の前回測定値ではなく、確実に自己の前回測定値を表示させ、確認することが出来る。
【実施例３】
【００９５】
次に、本発明にかかる電子血圧計１０の第３実施例について、図５の構成図を参照して説明する。本実施例に於ける電子血圧計１０ａの構成のうち、先に説明した電子血圧計１０が備えているのと同じ構成手段や、当該構成手段の機能詳細や実施例、作用効果等については、先に説明したのと同様であるから、その説明を省略する。【００９６】
本実施例の電子血圧計１０ａは、基本的には使用者毎に１台ずつ使用されるのが望ましく、先に説明した使用者識別キー３４の代わりに、イベント毎に選択可能な複数のイベント識別キー３５を備えており、発光手段３６は、イベント識別キー３５毎に対応して設けられている。尚、図５に於いて、イベント識別キー３５は３５ａ，３５ｂの２個であるが、複数であれば２個である必要はない。又、イベント識別キー３５の形状やロックの有無等の形態については、使用者識別キー３４と同様である。【００９７】
イベント識別キー３５は、例えば、早朝、就寝前等といった血圧値測定時期や、投薬前、投薬後、座位、臥位、立位等といった血圧値測定時の使用者の状態（以下、これらを総称してイベントという）を識別するキーであり、これらイベント毎にキーが設けられる。【００９８】
メモリ２４内には、イベント識別キー３５毎に確保されたメモリ領域がイベント識別キー３５の個数分設けられており、制御部２０は、各イベントに対応して使用者によって選択されたイベント識別キー３５の操作を検出し、測定された血圧値を、操作されたイベント識別キー３５に対応するメモリ領域に記憶する。つまり、血圧値は、イベント毎にメモリ２４に記憶される。【００９９】
制御部２０は、血圧値測定開始から終了までの間、及び／又は、血圧値の表示中に、操作されたイベント識別キー３５に対応する発光手段３６の発光制御を行うことで、使用者は、血圧値の測定中や表示中にも、任意のイベントを選択して血圧値の測定や表示が行われていること、測定経過等を確実に視認することが出来る。【０１００】
又、血圧測定手段２６は、イベント識別キー３５の操作に連動して、血圧値の測定を開始してもよい。これによれば、切替スイッチの切替作業のように、切り替え忘れるということがなく、又、確実にイベント毎に用意されたメモリに測定値が記憶される。【０１０１】
又、表示部２８が、イベント識別キー３５の操作に連動して、操作されたイベント識別キー３５に対応するメモリ２４内のメモリ領域に記憶された前回メモリ記憶値、すなわち、前回、同じ条件（時期、イベント）で測定された血圧値を表示してもよい。【０１０２】
このように、イベント識別キー３５の操作によって、前回同じ条件で測定された時の血圧値が表示されるので、新たに測定される血圧値との比較が正当に行われる。【０１０３】
操作されたイベント識別キー３５に対応するメモリ領域には確実に、同じ条件で測定された血圧値が記憶されているから、同じ条件同士で複数の血圧値を比較することや、イベントに応じた血圧値の変化の観察や、血圧値データのイベント毎の健康管理等の管理が容易になる。【０１０４】
又、電子血圧計１０ａは、先に説明したのと同様の電源部３０を有しているから、電源部３０はイベント識別キー３５の操作に連動して電子血圧計１０ａの血圧計本体１４ａに電源を投入してもよい。これによれば、電源投入キー３２の操作の必要なく、直ちに血圧値の測定を開始したり、血圧値を表示させることが出来る。【０１０５】
又、発光手段３６は、対応するイベント識別キー３５毎に異なる色で発光してもよい。これによれば、使用者は、イベント識別キー３５の設置場所や記号のみならず、色によっても、イベントに対応したキーを操作したことや、当該イベント時に於ける血圧値表示がされていることを視認することが出来る。【０１０６】
ここで、例えば、電子血圧計１０ａには、イベント識別キー３５が３つ備えられており、予め、イベントが「朝」、「昼」、「夜」の３つに分けられ、それぞれにイベント識別キー３５ａ，３５ｂ，３５ｃが順に対応しているものとする。【０１０７】
使用者は、「朝」の時間帯に血圧値の測定を行う場合、イベント識別キー３５ａを操作して、血圧値測定を開始する。この時、メモリ２４内のイベント識別キー３５ａに対応するメモリ領域には、当然、血圧値が記憶されるが、当該メモリ領域には更に、詳細な時刻（日付を含む）等の付加情報が血圧値に紐付けて記憶されてもよい。尚、この場合、電子血圧計１０ａは、計時手段（図示せず）を備えている必要がある。【０１０８】
このように、メモリ２４に、付加情報が記憶されることによって、使用者の健康状態を観察、診察、分析する際の一助とすることが出来る。【０１０９】
又、計時手段を有する電子血圧計１０ａであれば、電源投入キー３２が操作されるとともに、制御部２０が、計時手段に於いて計時された現在時刻に基づいて「朝」か「昼」か「夜」かの測定時期を判別し、現在時刻に対応するイベント識別キー３５に対応する発光手段３６に点灯もしくは点滅の発光をさせることで、使用者は、今、どのイベント識別キー３５を操作して血圧値を測定すればよいのかを一目瞭然に把握することが出来る。
【０１１０】
以上、電子血圧計の実施例につき説明したが、本発明の電子血圧計は、上記実施例で説明した構成要件の全てを備えたに限定されるものではなく、各種の変更及び修正が可能である。又、かかる変更及び修正についても本発明の特許請求の範囲に属することは言うまでもない。【０１１１】
例えば、電子血圧計には、使用者識別キー３４とイベント識別キー３５の２種類のキーが両方設けられていてもよく、識別キーの種類に応じて、キーの形状、設置位置や、発光手段３６の色が変えられていてもよい。また、２種類のキーが両方設けられているような場合には、２種類のキーを操作することで、それぞれのキーに対応するメモリ２４の領域それぞれに測定値が記憶されるようになっていてもよい。
【図面の簡単な説明】
【０１１２】
【図１】本発明にかかる電子血圧計の一実施例を示す外観図である。
【図２】本発明にかかる電子血圧計の一実施例を示す構成図である。
【図３】本発明にかかる電子血圧計の第１実施例を示すフローチャート図である。
【図４】本発明にかかる電子血圧計の第２実施例を示すフローチャート図である。
【図５】本発明にかかる電子血圧計の他の実施例を示す構成図である。
【符号の説明】
【０１１３】
１０：電子血圧計
１２：カフ
１２ａ：圧力センサ
１４：血圧計本体
１６：加圧ポンプ
１８ａ：急速排気弁
１８ｂ：微速排気弁
２０：制御部
２２：Ａ／Ｄ変換器
２４：メモリ
２６：血圧測定手段
２８：表示部
３０：電源部
３２：電源投入キー
３４：使用者識別キー
３４ａ：使用者識別キーＡ
３４ｂ：使用者識別キーＢ
３５：イベント識別キー
３６：発光手段
３６ａ：発光手段Ａ’
３６ｂ：発光手段Ｂ’
３６ｃ：発光手段Ｐ
【図１】
0004580344.tif 000002
【図２】
0004580344.tif 000003
【図３】
0004580344.tif 000004
【図４】
0004580344.tif 000005
【図５】
0004580344.tif 000006